(57)【要約】      （修正有）【課題】ディスクが存在するか否かを外部から確認可能なディスク格納装置を提供する。【解決手段】格納部１２内の孔部Ｂ（Ｃ）に対応して、格納部１２のケース２０２の下面に開口部２０６（２０９）が、ケース２０２の上面に開口部２０７（２０８）が形成される。また、孔Ｂ（Ｃ）を通過する直線光を光照射部７１−１（７１−２）が照射し、光照射部７１−１（７１−２）から照射された光を、鏡保持部７４に保持された鏡７２−１（７２−２）が反射し、反射された光を光検出部７３−１（７３−１）が検出する。【選択図】図３
2009252296.tif 000002
【特許請求の範囲】
【請求項１】
ディスクを格納するための格納場所となる少なくとも１つの孔部が開けられたディスクテーブルと、
前記孔部の位置が重なるように、複数の前記ディスクテーブルが積層されて構成されるシェルと、
前記シェルを収納するケースと、
を有し、
前記シェルは、前記孔部が重なって構成されるディスク積層方向の孔を有し、
前記ケースは、前記シェルの前記孔に対応する位置に開けられた少なくとも１つの開口部を有する
ディスク格納装置。
【請求項２】
当該ディスク格納装置は、
直線光を照射する少なくとも１つの光照射部と、
前記光照射部から照射された光を検出する光検出部と、
を有し、
前記光照射部から照射された光は、前記ケースの前記開口部と前記シェルの前記孔を通過して前記光検出部に入射し、
前記光検出部は、前記光照射部から照射された光を検出したときには前記複数のディスクテーブルの全ての孔部にディスクが存在しないと判定し、前記光照射部から照射された光を検出しなかったときには、前記複数のディスクテーブルのいずれかの孔部にディスクが存在すると判定する
請求項１に記載のディスク格納装置。
【請求項３】
当該ディスク格納装置は、
前記光照射部から照射された光を反射する鏡部を有し、
前記光照射部から照射された光は、第１の開口部から前記ケース内に入射し、前記シェルの前記孔を通過し、第２の開口部から前記ケース外に出て、前記鏡部により反射され、前記第２の開口部から再度前記ケース内に入射し、前記シェルの前記孔を通過し、第１の開口部から前記ケース外に出て、前記光検出部に入射する光路をとる
請求項２に記載のディスク格納装置。
【請求項４】
当該ディスク格納装置は、
前記光照射部から照射された光を反射する複数の鏡部を有し、
前記ディスクテーブルは、複数の孔部を有し、
前記シェルは、前記複数の孔部が重なって構成される複数の孔を有し、
前記ケースは、前記複数の孔に対応した位置に複数の開口部を有し、
前記光照射部から照射された光は、第１の開口部から前記ケース内に入射し、前記シェルの第１の孔を通過し、第２の開口部から前記ケース外に出て、第１の鏡部により第２の鏡部の方向に反射され、第２の鏡部により第３の開口部の方向に反射され、前記第３の開口部から再度前記ケース内に入射し、前記シェルの第２の孔を通過し、第４の開口部から前記ケース外に出て、前記光検出部に入射する光路をとる
請求項２に記載のディスク格納装置。
【請求項５】
当該ディスク格納装置は、
前記光照射部から照射された光を反射する鏡部を有し、
前記ディスクテーブルは、複数の孔部を有し、
前記シェルは、前記複数の孔部が重なって構成される複数の孔を有し、
前記ケースは、前記複数の孔に対応した位置に複数の開口部を有し、
前記光照射部から照射された光は、第１の開口部から前記ケース内に入射し、前記シェルの第１の孔を通過し、第２の開口部から前記ケース外に出て、前記鏡部により第３の開口部の方向に反射され、前記第３の開口部から再度前記ケース内に入射し、前記シェルの第２の孔を通過し、第４の開口部から前記ケース外に出て、前記光検出部に入射する光路をとる
請求項２に記載のディスク格納装置。
【発明の詳細な説明】
【技術分野】
【０００１】
本発明は、複数のディスクを格納可能なディスク格納装置に関する。
【背景技術】
【０００２】
複数のディスク（ＣＤ、ＤＶＤ、ＢＤ（Blu-ray Disc：登録商標）等）を格納し、ユーザの操作等に応じた１枚のディスクを選択し再生したり記録したりすることが可能なディスクチェンジャ機能を有するディスク格納装置が知られている。
このようなディスク格納装置には、例えば、ディスクを複数枚格納できる円盤状のディスクテーブルを何層にも積み重ねた積層型のものがある。すなわち、このようなディスク格納装置では、１枚に数箇所（例えば２箇所）ディスクを格納できる格納箇所を有したディスクテーブルを何十枚から何百枚も重ねることにより、大量のディスクを格納することが可能になっている。
【発明の開示】
【発明が解決しようとする課題】
【０００３】
ところで、ディスク格納装置の出荷前、動作テスト後等、ディスク格納装置内にディスクが残っているか否かを確認したいときがある。
従来のディスク格納装置においては、ディスク格納装置の電源が入っていない状態でディスクがディスクテーブル内に残っているか否かを外部から確認するための手段が特に設けられていなかった。このため、ディスクの格納箇所が大量に存在するディスク格納装置では、外部からディスクの有無を確認するためには、ディスクテーブルを全て手動で引き出してみる必要があった。ディスクの格納箇所が大量に存在する場合、電源を投入せずにディスクの有無を確認するためには、全てのテーブルを確認するために膨大な時間が必要となり、多大な労力を要する、という不利益があった。
【０００４】
本発明は上述した不利益を解消するためになされたものであり、ディスクが存在するか否かを外部から確認可能なディスク格納装置を提供することを目的とする。
【課題を解決するための手段】
【０００５】
上記した不利益を解消するために、第１の発明のディスク格納装置は、ディスクを格納するための格納場所となる少なくとも１つの孔部が開けられたディスクテーブルと、前記孔部の位置が重なるように、複数の前記ディスクテーブルが積層されて構成されるシェルと、前記シェルを収納するケースと、を有し、前記シェルは、前記孔部が重なって構成されるディスク積層方向の孔を有し、前記ケースは、前記シェルの前記孔に対応する位置に開けられた少なくとも１つの開口部を有する。
【発明の効果】
【０００６】
本発明によれば、ディスクが存在するか否かを外部から確認可能なディスク格納装置を提供することができる。
【発明を実施するための最良の形態】
【０００７】
以下、本発明の実施形態について説明する。
＜第１実施形態＞
図１は、本発明の第１実施形態のディスク格納装置１００の構成の一例を示すブロック図である。
図１に示すように、ディスク格納装置１００は、ディスクチェンジャ機構１、操作部２、主制御部３、メモリ４、表示部５、チェンジャ機構制御部６、ディスク確認部７を有する。
ディスクチェンジャ機構１は、複数のディスク（ＣＤ、ＤＶＤ、ＢＤ等）を格納し、そのうち選択された１つのディスクを抽出して利用可能な機構であり、ドライブ１１、格納部１２、ディスク投入口１３、搬送機構１４を有する。
【０００８】
ドライブ１１は、ディスク内のデータを読み出し再生を行ったり、ディスクに対してデータを書き込んだりする駆動装置である。
格納部１２は、複数のディスクを格納する格納箇所を複数有する。
ディスク投入口１３は、ディスクチェンジャ機構１に対してディスクを投入するための部位である。
搬送機構１４は、ディスクの搬送を行うための機構である。
【０００９】
図２は、ディスクチェンジャ機構１の格納部１２の具体的な内部構造について説明するための図である。
図２（ａ）は、格納部１２の構成の一例を示した図である。
図２（ａ）に示すように、格納部１２は複数のディスクテーブル２００（本発明のディスクテーブルに対応）が積層されたシェル２０１（本発明のシェルに対応）と、シェル２０１を覆うケース２０２（本発明のケースに対応）により構成される。図２（ａ）では、ケース２０２を透視してシェル２０１を示している。
図２（ｂ）に示すように、シェル２０１を構成するディスクテーブル２００は、それぞれ円盤部材にディスク格納用の孔部２０３、２０４（本発明の孔部に対応）及び、搬送機構の移動用の搬送スペースＡを確保するためのＵ字孔２０５が開けられている。図２（ａ）に示すように、シェル２０１を構成するディスクテーブル２００はそれぞれの孔部２０３及び２０４の位置が重なるように積層されており、複数のディスクテーブル２００のＵ字孔２０５により搬送スペースＡが構成されている。
また、孔部２０３及び２０４もそれぞれ重なるようにディスクテーブル２００は積層されており、図２（ａ）に示すように、複数のディスクテーブル２００の孔部２０３により孔Ｂが、複数のディスクテーブル２００の孔部２０４により孔Ｃが構成されている。そして、図２（ｃ）に示すように、孔Ｂ及び孔Ｃ（本発明の孔に対応）に対応する位置のケース２０２の上面及び下面には、ケース２０２内部を観察するための開口部２０６〜２０９（本発明の開口部に対応）が開けられている。孔Ｂ及び孔Ｃにより、外部からディスクチェンジャ機構１のシェル２０１内部を覗くことができるため、いずれかのディスクテーブル２００の孔部２０３或いは２０４にディスクが残っているか否かを格納部１２の外部から視覚的に確認することができる。
なお、本発明のディスク格納装置１００では、ディスク格納用の孔部は２つである必要はないが、以下の実施形態では、一例として、ディスク格納用の孔部を２つとしている。
【００１０】
ディスクチェンジャ機構１の動作例について簡単に説明する。
図２に示すように、複数のディスクテーブル２００にそれぞれ開けられた孔部２０３、２０４は、それぞれがディスクを１枚ずつ格納可能な格納箇所を構成している。
まず、例えば搬送スペースＡの下部に配設されたディスク投入口１３にディスクが投入されると、搬送機構１４がディスク投入口１３に投入されたディスクを格納部１２の所定の格納箇所まで搬送する。搬送機構１４は、例えばトレイ状の搬送テーブルが上下に移動する構成であり、図２（ａ）に示す搬送スペースＡ内を所定の格納箇所に対応する孔部２０３或いは２０４を有するディスクテーブル２００と同じ高さまで搬送テーブルが移動する。その状態でディスクテーブル２００が回転して、搬送テーブルに載っているディスクが所定の格納箇所に対応した孔部２０３或いは２０４に移動されることにより、搬送機構１４によるディスクの格納部１２への格納が行われる。
格納部１２に格納されたディスクがディスク格納装置１００から取り出されるときは、使用されるディスクが格納された格納箇所に対応した孔部２０３或いは２０４が構成されたディスクテーブル２００とほぼ同じ高さまで搬送機構１４の搬送テーブルが移動する。そして、ディスクテーブル２００が回転することにより孔部２０３或いは２０４に格納されたディスクが搬送テーブルに載せられる。その後、搬送テーブルがディスク投入口１３までディスクを搬送することによりディスクが取り出される。
【００１１】
また、格納部１２に格納されたディスクを使用する場合は、使用されるディスクが格納された格納箇所に対応した孔部２０３或いは２０４が構成されたディスクテーブル２００とほぼ同じ高さまで搬送機構１４の搬送テーブルが移動する。ディスクテーブル２００が回転することにより孔部２０３或いは２０４に格納されたディスクが搬送テーブルに載せられる。搬送機構１４の搬送テーブルは、載せられたディスクを、例えば搬送スペースＡの上部に配設されたドライブ１１まで搬送してマウントする。ドライブ１１がディスク内のデータを読み出し、或いはディスクにデータを書き込みすることによりディスクが使用される。
【００１２】
操作部２は、ディスク格納装置１００に対するユーザの操作を受け付ける。
主制御部３は、ディスク格納装置１００の動作を統括的に制御する制御ブロックである。すなわち、主制御部３は、例えば操作部２に対するユーザの操作等に応じて、ディスク格納装置１００の各種動作を実行する。特に、主制御部３は、操作部２に対するユーザの操作等に応じて、ディスクチェンジャ機構１の動作をチェンジャ機構制御部６に制御させる指示を行う。
また、主制御部３はネットワーク３００と接続されている。主制御部３は、まず、ディスクチェンジャ機構１のドライブ１１に、ディスクに予め書き込まれたＴＯＣ情報を読み出させる。次に、ＴＯＣ情報を基にしてネットワーク３００（例えばインターネット）上の検索サービス（例えばＣＤＤＢ：Compact Disc Data Base）に接続し、当該ディスクに関する各種情報を取得し、メモリ４に記憶させることができる。ディスクに関する各種情報とは、例えばディスクのタイトル、収録コンテンツのタイトル、演奏者、出演者、作詞作曲者、発売年月日等である。
【００１３】
メモリ４は、例えば主制御部３に接続され、ディスク格納装置１００の各種動作に関する各種情報を記憶する。メモリ４は、例えば不揮発性メモリ（ＥＥＰＲＯＭ：Electrically Erasable and Programmable Read Only Memory）、或いはＨＤＤ（Hard Disk Drive）等により構成される。メモリ４には、例えば格納部１２に格納されたディスクに関する各種情報と、格納部１２における格納箇所とが対応付けられて記憶されている。
表示部５は、液晶ディスプレイ（ＬＣＤ：Liquid Crystal display）や有機ＥＬ（Electro Luminescence）ディスプレイ等により構成される表示デバイスである。表示部5は、主制御部３の制御に従って、各種表示動作を行う。例えば、ディスクチェンジャ機構１の格納部１２に格納された複数枚のディスクの中からユーザに所望のディスクを選択させるためのガイド的な表示を行うことができる。
チェンジャ機構制御部６は、主制御部３の指示に応じて、ディスクチェンジャ機構１の動作を制御する。
【００１４】
ディスク確認部７は、ディスク格納装置１００の上述した各構成が稼動していない状態（例えば電源が投入されていない状態等）においても、格納部１２内にディスクが残っているか否かを判定するための構成である。
ディスク確認部７は、上述したディスクチェンジャ機構１の格納部１２に隣接するように配設される。
図３に、ディスク確認部７の構成と、格納部１２との位置関係とを示す。
図３は、第１実施形態のディスク確認部７と格納部１２とを示した図である。
【００１５】
図３に示すように、ディスク確認部７は、光照射部７１−１及び７１−２（本発明の光照射部に対応）、鏡７２−１及び７２−２（本発の鏡部に対応）、光検出部７３−１及び７３−２、（本発明の光検出部に対応）、鏡保持部７４を有する。
光照射部７１−１及び７１−２は、格納部１２のケース２０２に開けられた開口部２０６〜２０９を通過するように光を照射する。光照射部７１−１及び７１−２は点光源であり、光照射部７１−１及び７１−２が照射する光は、例えばレーザー光線等の非拡散光であることが好ましい。光照射部７１−１（７１−２）から放射された光α（β）は、格納部１２のケース２０２下面に開けられた開口部２０６（２０７）からケース２０２内部に進入し、シェル２０１を構成するディスクテーブル２００の孔部２０３（２０４）により構成された孔Ｂ（Ｃ）を通過して、ケース２０２上面に開けられた開口部２０８（２０９）から再度外部に放出される。しかし、光α（β）の光路上に鏡７２−１（７２−２）が配設されているため、光α（β）は鏡７２−１（７２−２）により反射させられ、反射前とほぼ同一の光路に沿って開口部２０８（２０９）から再度ケース２０２内に進入する。そして、孔Ｂ（Ｃ）を通過し、ケース２０２下面の開口部２０６（２０７）を通過して、光照射部７１−１（７１−２）の近傍に配置された光検出部７３−１（７３−２）が光を検出するように構成されている。鏡７２−１及び７２−２は、ケース２０２の上部に配設された鏡保持部７４に鏡面が平行になるように固定され保持されている。
【００１６】
すなわち、光照射部７１−１から照射された光αは、光照射部７１−１から照射され、孔Ｂ内を通過して、鏡７２−１によって反射され、再度孔Ｂ内を通過して、光照射部７１−１の近傍に配設された光検出部７３−１に入射する光路をとる。同様に、光照射部７１−２から照射された光βは、光照射部７１−２から照射され、孔Ｃ内を通過して、鏡７２−２によって反射され、再度孔Ｃ内を通過して、光照射部７１−２の近傍に配設された光検出部７３−２に入射する光路をとる。
【００１７】
従って、光照射部７１−１から照射された光が、格納部１２の孔Ｂ内を通過して、鏡７２−１に反射されて再度孔Ｂを通過して光検出部７３−１に検出された場合には、孔Ｂを構成する全てのディスクテーブル２００の孔部２０３内にディスクが存在しないことになる。何故なら、孔Ｂを構成する全てのディスクテーブル２００の孔部２０３のいずれかにディスクが存在している場合には、存在するディスクにより光が遮られ、光検出部７３−１が光を検出することができない筈だからである。
同様に、光照射部７１−２から照射された光が、光検出部７３−２に検出された場合には、孔Ｃを構成する全てのディスクテーブル２００の孔部２０４内にディスクが存在しないことになる。
【００１８】
なお、一般的なディスクには、中央部にディスクを回転させるときに固定するための穴が設けられている。このため、上述したディスク確認部７において、光照射部７１−１或いは７１−２から照射される光が孔Ｂ或いはＣの中央部付近を通過することは好ましくない。ディスクが存在するにもかかわらずディスクの中央部の孔を光が通過してしまい、ディスクの存在を検出することができない場合が生じるからである。従って、照射された光が孔Ｂ或いはＣの端部付近を通過するように光照射部７１−１及び７１−２は配設される。
【００１９】
以上説明したように、本第１実施形態のディスク格納装置１００によれば、格納部１２内の孔部Ｂ（Ｃ）に対応して、格納部１２のケース２０２の下面に開口部２０６（２０７）が、ケース２０２の上面に開口部２０８（２０９）が形成される。その結果、孔部Ｂ（Ｃ）を構成するディスク格納用の孔部２０３（２０４）にディスクが存在するかしないかを、外部から視覚的に容易に判別することが可能になる。これに加えて、孔Ｂ（Ｃ）を通過する直線光を光照射部７１−１（７１−２）が照射し、光照射部７１−１（７１−２）から照射された光を、鏡保持部７４に保持された鏡７２−１（７２−２）が反射し、反射された光を光検出部７３−１（７３−１）が検出する。このため、孔部２０３（２０４）にディスクが存在する場合は光がディスクにより遮られて光検出部７３−１（７３−２）が光を検出できない。これにより、孔部２０３（２０４）にディスクが存在しない場合は光がディスクにより遮られずに光検出部７３−１（７３−２）が光を検出することになり、ディスクの存在の有無を検出することができる。
【００２０】
なお、本実施形態では、光照射部７１−１或いは７１−２から照射された光が、孔Ｂ或いはＣを通過し、格納部１２の反対側に出てから、鏡７２−１或いは７２−２によって反射され、再度孔Ｂ或いはＣを通過して光検出部７３−１或いは７３-２に入射している。しかし、本発明はこれには限定されず、例えば、鏡７２−１或いは７２−２の代わりに光検出部７３−１あるいは７３−２を配設するようにしてもよい。すなわち、光照射部７１−１或いは７１−２から照射された光が、鏡７２−１或いは７２−２で反射されず、孔Ｂ或いはＣを通過して直接光検出部７３−１或いは７３−２に入射する構成とすることも可能である。これにより、光路が短くなるため、光照射部７１−１或いは７１−２が照射する光の強度を押さえることが可能になる。
【００２１】
＜第２実施形態＞
以下、本発明の第２実施形態について説明する。
本発明の第２実施形態のディスク格納装置１０１は、上述した第１実施形態のディスク格納装置１００と同様の構成要素により構成されるが、ディスク確認部７ａが第１実施形態のディスク確認部７とは若干異なっている。第２実施形態のディスク格納装置１０１の構成要素は第１実施形態のディスク格納装置１００と同様であるため、その構成要素の図示は省略する。
第１実施形態と同様、ディスクチェンジャ機構１の格納部１２は、ディスクを格納するための孔部２０３及び２０４を有するディスクテーブル２００が複数積層されて構成されたシェル２０１が、ケース２０２内に収納されている。複数のディスクテーブル２００の孔部２０３或いは２０４に対応した孔Ｂ或いは孔Ｃに対応した位置のケース２０２には、開口部２０６〜２０９が開けられている。このため、格納部１２内にディスクが存在しているか否かを視覚的に確認できる構成となっている。
そして、第２実施形態のディスク確認部７ａも、第１実施形態と同様、ディスクチェンジャ機構１の格納部１２に隣接するように配設され、ディスク格納装置１００の他の各構成が稼動していない状態においても、格納部１２内にディスクが残っているか否かを判定することができる。
【００２２】
図４に、第２実施形態のディスク確認部７ａの構成を示す。
図４は、第２実施形態のディスク確認部７ａと格納部１２とを示した図である。
第２実施形態のディスク確認部７ａは、１つの光照射部７１ａ、鏡７２ａ−１及び７２ａ−２、１つの光検出部７３ａ、鏡保持部７４を有する。すなわち、第２実施形態のディスク確認部７ａは、光照射部７１ａが１つである点、光検出部７３ａが１つである点、及び、鏡７２ａ−１及び７２ａ−２が鏡保持部７４に対して若干斜めになるように保持される点において第１実施形態のディスク確認部７と異なる。
【００２３】
第２実施形態のディスク確認部７ａでは、図４に示すように、光照射部７１ａから照射された光γは、格納部１２のケース２０２の下面の開口部２０６からケース２０２内に入射され、孔Ｂ内を通過し、ケース２０２上面の開口部２０７からケース２０２外に出て、鏡７２ａ−１及び鏡７２ａ−２により２度反射され、開口部２０８から再度ケース内に進入し、孔Ｃを通過してケース２０２下面の開口部２０９からケース２０２外に出て光検出部７３ａにより検出される光路をとる。すなわち、図４に示すように、鏡７２ａ−１が開口部２０７から出てきた光γを鏡７２ａ−２の方に一度反射し、鏡７２ａ−２が開口部２０８からケース２０２に進入し孔Ｃ内を通過するように光γを再度反射することにより、１本の光路で孔Ｂ及びＣ内のディスクの有無を検出できるように構成されている。
なお、ディスクの中央に開けられた穴を光γが通過してしまい、存在するディスクの検出漏れを防ぐために、光γの光路は、孔Ｂ及びＣの端部付近を通過するように構成されることが好ましい。
【００２４】
以上説明したように、第２実施形態のディスク格納装置１０１によれば、格納部１２内の孔部Ｂ（Ｃ）に対応して、格納部１２のケース２０２の下面に開口部２０６（２０７）が、ケース２０２の上面に開口部２０８（２０９）が形成される。このため、孔部Ｂ（Ｃ）を構成するディスク格納用の孔部２０３（２０４）にディスクが存在するかしないかを、外部から視覚的に容易に判別することが可能になる。これに加えて、光照射部７１ａが孔Ｂを通過するように光γを照射し、鏡保持部７４に保持された鏡７２ａ−１及び７２ａ−２によって２度反射され、反射された光が孔Ｃを通過して光検出部７３ａに検出される。このため、ディスクテーブル２００の孔部２０３（２０４）にディスクが存在する場合は光がディスクにより遮られて光検出部７３ａが光を検出できず、孔部２０３（２０４）にディスクが存在しない場合は光がディスクにより遮られずに光検出部７３ａが光を検出することになり、ディスクの存在の有無を検出することができる。
【００２５】
＜第３実施形態＞
以下、本発明の第３実施形態について説明する。
本発明の第３実施形態のディスク格納装置１０２は、上述した第１実施形態のディスク格納装置１００及び第２実施形態のディスク格納装置１０１と同様の構成要素により構成されるが、ディスク確認部７ｂが第１実施形態のディスク確認部７及び第２実施形態のディスク確認部７ａとは若干異なっている。第２実施形態のディスク格納装置１０１の構成要素は第１実施形態のディスク格納装置１００と同様であるため、その構成要素の図示は省略する。
第１実施形態及び第２実施形態と同様、ディスクチェンジャ機構１の格納部１２は、ディスクを格納するための孔部２０３及び２０４を有するディスクテーブル２００が複数積層されて構成されたシェル２０１が、ケース２０２内に収納されて構成されている。複数のディスクテーブル２００の孔部２０３或いは２０４に対応した孔Ｂ或いは孔Ｃに対応した位置のケース２０２には、開口部２０６〜２０９が開けられている。このため、格納部１２内にディスクが存在しているか否かを視覚的に確認できる構成となっている。
そして、第３実施形態のディスク確認部７ｂも、第１実施形態及び第２実施形態と同様、ディスクチェンジャ機構１の格納部１２に隣接するように配設され、ディスク格納装置１００の他の各構成が稼動していない状態においても、格納部１２内にディスクが残っているか否かを判定することができる。
【００２６】
図５に、第３実施形態のディスク確認部７ｂの構成を示す。
図５は、第３実施形態のディスク確認部７ｂと格納部１２とを示した図である。
第３実施形態のディスク確認部７ｂは、１つの光照射部７１ｂ、１つの鏡７２ｂ、１つの光検出部７３ｂ、鏡保持部７４を有する。すなわち、第３実施形態のディスク確認部７ｂは、光照射部７１ｂが１つである点、光検出部７３ｂが１つである点において第１実施形態と異なり、鏡７２ｂが１つである点において第２実施形態のディスク確認部７ａと異なる。
【００２７】
第３実施形態のディスク確認部７ｂでは、図５に示すように、光照射部７１ｂから照射された光δは、格納部１２のケース２０２の下面の開口部２０６からケース２０２内に入射され、孔Ｂ内を通過し、ケース２０２上面の開口部２０７からケース２０２外に出る。そして、ケース２０２外に出た光δは、鏡７２ｂにより反射され、開口部２０８から再度ケース内に進入し、孔Ｃを通過してケース２０２下面の開口部２０９からケース２０２外に出て光検出部７３ｂにより検出される光路をとる。すなわち、図５に示すように、１つの光照射部７１ｂから照射された光が、孔Ｂを斜めに通過して鏡７２ｂに反射され、孔Ｃを斜めに通過して、光検出部７３ｂに入射することにより、１本の光路で孔Ｂ及びＣ内のディスクの有無を検出できるように構成されている。
なお、ディスクの中央に開けられた穴を光δが通過してしまい、存在するディスクの検出漏れを防ぐために、光δの光路は、孔Ｂ及びＣの中心部を避けて通過するように構成されることが好ましい。
【００２８】
以上説明したように、第３実施形態のディスク格納装置１０２によれば、格納部１２内の孔部Ｂ（Ｃ）に対応して、格納部１２のケース２０２の下面に開口部２０６（２０７）が、ケース２０２の上面に開口部２０８（２０９）が形成される。このため、孔部Ｂ（Ｃ）を構成するディスク格納用の孔部２０３（２０４）にディスクが存在するかしないかを、外部から視覚的に容易に判別することが可能になる。これに加えて、光照射部７１ｂが孔Ｂを通過するように光δを照射し、鏡保持部７４に保持された鏡７２ｂによって反射され、反射された光が孔Ｃを通過して光検出部７３ｂに検出される。このため、ディスクテーブル２００の孔部２０３（２０４）にディスクが存在する場合は光がディスクにより遮られて光検出部７３ｂが光を検出できず、孔部２０３（２０４）にディスクが存在しない場合は光がディスクにより遮られずに光検出部７３ｂが光を検出することになり、ディスクの存在の有無を検出することができる。
【００２９】
本発明は上述した実施形態には限定されない。
すなわち、本発明の実施に際しては、本発明の技術的範囲またはその均等の範囲内において、上述した実施形態の構成要素に関し様々な変更並びに代替を行ってもよい。
上述した実施形態では、格納部１２の一例として、ディスク格納用に２つの孔部２０３及び２０４を有するディスクテーブル２００が積層されたシェル２０１がケース２０２内に収められている構成について説明したが、本発明はこれには限定されない。すなわち、ディスクテーブルが有するディスク格納用の孔部は、格納部内の全てのディスクテーブルで同じ個数であれば、何個でもよい。また、この場合、ディスクテーブルが有する孔部の数に応じて、光照射部から照射された光が鏡に反射され光検出部に検出されるまでの光路の数も変化するため、光路の数に応じて光照射部、鏡、光検出部の数も変化させて構成すればよい。
【図面の簡単な説明】
【００３０】
【図１】図１は、本発明の第１実施形態のディスク格納装置の構成の一例を示すブロック図である。
【図２】図２は、ディスクチェンジャ機構の格納部の具体的な内部構造について説明するための図である。
【図３】図３は、第１実施形態のディスク確認部と格納部とを示した図である。
【図４】図４は、第２実施形態のディスク確認部と格納部とを示した図である。
【図５】図５は、第３実施形態のディスク確認部と格納部とを示した図である。
【符号の説明】
【００３１】
１００，１０１，１０２…ディスク格納装置、１…ディスクチェンジャ機構、２…操作部、３…主制御部、４…メモリ、５…表示部、６…チェンジャ機構制御部、７，７ａ，７ｂ…ディスク確認部、１１…ドライブ、１２…格納部、１３…ディスク投入口、１４…搬送機構、２１…キー、７１−１，７１−２，７１ａ，７１ｂ…光照射部、７２−１，７２−２，７２ａ−１，７２ａ−２，７２ｂ…鏡、７３−１，７３−２，７３ａ，７３ｂ…光検出部、７４…鏡保持部、２００…ディスクテーブル、２０１…シェル、２０２…ケース、２０３，２０４…孔部、２０５…Ｕ字孔、２０６〜２０９…開口部、３００…ネットワーク
【図１】
2009252296.tif 000003
【図２】
2009252296.tif 000004
【図３】
2009252296.tif 000005
【図４】
2009252296.tif 000006
【図５】
2009252296.tif 000007